(57)【要約】【課題】  断熱箱体に形成された背面ダクトからの冷気を棚前端の冷気吐出口から吹き出す場合に、その吹き出し高さを容易に変更することができるショーケースを提供する。【解決手段】  ショーケース１は、断熱壁３内に陳列室１１を構成し、この陳列室１１内に商品陳列用の棚装置４を上下に複数段、架設して成るものであって、陳列室１１の背面に位置し、断熱壁３との間に冷気が上昇する背面ダクト９を構成するための背面パネル６と、棚装置４に着脱可能に取り付けられ、後端が背面パネル６の連通部４１にて背面ダクト９に連通すると共に、前端に棚下冷気吐出口２７が構成された棚ダクト部材５とを備え、この棚ダクト部材５の後部には、棚ダクト部材５に対応する箇所以外の部分の連通部４１を閉塞する閉塞板４５、４７が設けられている。【選択図】図２
2006194513.tif 000002
【特許請求の範囲】
【請求項１】
断熱壁内に陳列室を構成し、当該陳列室内に商品陳列用の棚を上下に複数段、架設して成るショーケースにおいて、
前記陳列室の背面に位置し、前記断熱壁との間に冷気が上昇する背面ダクトを構成するための背面パネルと、
前記棚に着脱可能に取り付けられ、後端が前記背面パネルの連通部にて前記背面ダクトに連通すると共に、前端に冷気吐出口が構成された棚ダクト部材とを備え、
該棚ダクト部材の後部には、当該棚ダクト部材に対応する箇所以外の部分の前記連通部を閉塞する閉塞板が設けられていることを特徴とするショーケース。
【請求項２】
前記閉塞板は、前記棚ダクト部材後部より上方及び下方に延在することを特徴とする請求項１のショーケース。
【請求項３】
前記閉塞板は、前記棚ダクト部材後部より延在する寸法を変更可能とされていることを特徴とする請求項１又は請求項２のショーケース。
【請求項４】
前記閉塞板は、前記棚ダクト部材の後部に回動自在に枢支されていることを特徴とする請求項１、請求項２又は請求項３のショーケース。
【発明の詳細な説明】
【技術分野】
【０００１】
本発明は、断熱壁内に陳列室を構成し、この陳列室内に商品陳列用の棚を架設して成るショーケースに関するものである。
【背景技術】
【０００２】
従来よりスーパーマーケットやコンビニエンスストアなどに設置されるショーケースは、断熱壁の内側に間隔を存して設けた仕切板との間にダクトを構成し、仕切板の内側には陳列室を構成すると共に、ダクトには冷却器と送風機を設置し、この冷却器と熱交換した冷気を送風機により、ダクトから陳列室内に吹き出す構成とされている。
【０００３】
この場合、陳列室の開口上縁には冷気吐出口が形成されると共に、開口下縁には冷気吸込口が形成され、何れもダクトに連通されている。そして、この開口上縁の冷気吐出口から冷気を吹き出し、エアーカーテンを形成しつつ陳列室内を冷却し、吹き出された冷気は開口下縁の冷気吸込口から吸引するものであった。
【０００４】
更に、この陳列室内には、複数段の棚が架設される。棚は、内部に棚ダクト（冷気通路）が構成されており、後端は断熱箱体の背方における背面ダクトと連通している。また、棚の前端には、棚ダクトと連通する冷気吐出口が形成されている。これにより、背面ダクト内を上昇した冷気を、連通部を介して棚ダクト内に引き込み、該棚の前端に形成された冷気吐出口より吐出することにより、該棚下方の陳列室内の商品を冷却する（冷蔵領域。特許文献１参照）。尚、当該棚上方の陳列室内の商品は、棚に取り付けた電気ヒータにて加熱するものであった（温蔵領域）。
【特許文献１】特開２０００−２５８０３１号公報
【発明の開示】
【発明が解決しようとする課題】
【０００５】
このようにして、一台のショーケースの陳列室内を温蔵領域と冷蔵領域とに上下に分けて使用できるようにしていたが、商品の数量は寸法によっては陳列室内のどの高さから上を温蔵領域とし、下方を冷蔵領域とするかが変わってくる。そのため、従来では複数の棚に棚ダクトを構成しておき、冷気を引き込む棚ダクトを変更して温蔵領域と冷蔵領域の大きさを変更していたが、結果として構造の複雑な棚を複数段架設しなければならなくなり、コストの高騰を引き起こしていた。
【０００６】
尚、係る問題は陳列室内を非冷領域（温蔵領域に代わる冷却しない領域。従って、この場合は電気ヒータは設けられず、結果として陳列室内の冷蔵領域を縮小するのみに止まる。）と冷蔵領域とに分けて使用する場合も同様であった。
【０００７】
そこで、本発明は係る従来の技術的課題を解決するために成されたものであり、断熱箱体に形成された背面ダクトからの冷気を棚前端の冷気吐出口から吹き出す場合に、その吹き出し高さを容易に変更することができるショーケースを提供することを目的とする。
【課題を解決するための手段】
【０００８】
本発明のショーケースは、断熱壁内に陳列室を構成し、当該陳列室内に商品陳列用の棚を上下に複数段、架設して成るものであって、陳列室の背面に位置し、断熱壁との間に冷気が上昇する背面ダクトを構成するための背面パネルと、棚に着脱可能に取り付けられ、後端が背面パネルの連通部にて背面ダクトに連通すると共に、前端に冷気吐出口が構成された棚ダクト部材とを備え、この棚ダクト部材の後部には、当該棚ダクト部材に対応する箇所以外の部分の連通部を閉塞する閉塞板が設けられていることを特徴とする。
【０００９】
また、請求項２の発明のショーケースは、上記発明において、閉塞板は、棚ダクト部材後部より上方及び下方に延在することを特徴とする。
【００１０】
また、請求項３の発明のショーケースは、上記各発明において、閉塞板は、棚ダクト部材後部より延在する寸法を変更可能とされていることを特徴とする。
【００１１】
また、請求項４の発明のショーケースは、上記各発明において、閉塞板は、棚ダクト部材の後部に回動自在に枢支されていることを特徴とする。
【発明の効果】
【００１２】
本発明によれば、断熱壁内に陳列室を構成し、当該陳列室内に商品陳列用の棚を上下に複数段、架設して成るショーケースにおいて、陳列室の背面に位置し、断熱壁との間に冷気が上昇する背面ダクトを構成するための背面パネルと、棚に着脱可能に取り付けられ、後端が背面パネルの連通部にて背面ダクトに連通すると共に、前端に冷気吐出口が構成された棚ダクト部材とを備えているので、棚ダクト部材が取り付けられる棚を変更することにより、棚前端からの冷気吹き出し高さを変更することができる。
【００１３】
また、棚ダクト部材の後部には、当該棚ダクト部材に対応する箇所以外の部分の連通部を閉塞する閉塞板が設けられているので、陳列室内を下方の冷蔵領域と上方の温蔵領域或いは非冷領域とに分ける場合等に、棚ダクト部材を取り付ける棚或いは、棚ダクト部材が取り付けられた棚が商品の数量や寸法に応じて上下位置を変更した場合であっても、棚ダクト部材の位置に合わせて、それに対応する箇所以外の部分を閉塞板にて閉塞することが可能となる。
【００１４】
これにより、棚ダクト部材の取付位置変更或いは棚の高さ位置変更に際して、棚ダクト部材内への冷気の引き込みを支障無く行えるようになるものである。更に、本発明によれば、当該閉塞板は棚ダクト部材に設けられていることから、棚ダクト部材の移動と共に、閉塞板が移動することとなるため、連通部の閉塞作業を簡素化することができるようになる。
【００１５】
また、請求項２の発明によれば、上記発明において、閉塞板は、棚ダクト部材後部より上方及び下方に延在するので、広範囲に閉塞位置を調整することが可能となる。
【００１６】
また、請求項３の発明によれば、上記各発明において、閉塞板は、棚ダクト部材後部より延在する寸法を変更可能とされているので、容易に閉塞板による連通部の閉塞位置を調整することができるようになる。
【００１７】
また、請求項４の発明によれば、上記各発明において、閉塞板は、棚ダクト部材の後部に回動自在に枢支されているので、棚ダクト部材を棚に取り付ける作業を容易とすることができるようになる。
【発明を実施するための最良の形態】
【００１８】
以下、本発明の実施形態を図面に基づき詳細に説明する。図１は本発明を適用したショーケース１の側面図、図２はショーケース１の正面図、図３は棚装置４を取り外した状態のショーケース１の正面図、図４は棚ダクト部材５を棚装置４に取り付ける作業を説明する棚装置４の拡大斜視図、図５は棚ダクト部材５の斜視図、図６は棚ダクト部材５の拡大縦断正面図、図７は棚ダクト部材５の側面図を示している。
【００１９】
ショーケース１は前面に開口する断面略コ字状の断熱壁３と、その両側に取り付けられる図示しない側板によって本体が構成されており、この断熱壁３の内側には間隔を存して背面及び天面にそれぞれ背面パネル６、天面パネル７が配設され、これら背面パネル６、天面パネル７と断熱壁３間に背方から上方に渡る背面ダクト９が構成されている。尚、背面パネル６の詳細については後述する。また、背面パネル６の下端には、前方に延在するデッキパン１０が設けられており、これら背面パネル６、天面パネル７及びデッキパン１０の内側に陳列室１１が構成されている。そして、デッキパン１０の下方には背面ダクト９に連通してその一部を構成する下部ダクト１４が構成されている。
【００２０】
背面ダクト９の上端は陳列室１１の前面開口上縁に位置する上部冷気吐出口１６に連通し、下部ダクト１４の前端は陳列室１１の前面開口下縁に位置すると共に、複数のスリットから成る冷気吸込口１７に連通している。また、デッキパン１０の下方の下部ダクト１４内には冷気送給用の送風機１９が配設され、陳列室１１後方の背面ダクト９内には冷却装置の冷凍サイクルを構成する冷却器１５が縦設されている。
【００２１】
陳列室１１内には本発明における棚となる棚装置４が複数段、本実施例では上下に５段架設されている。各棚装置４は、後端に後方に突出する鉤状の爪を有した左右一対のブラケット２１、２１と、このブラケット２１、２１上に差し渡して着脱自在に取り付けられた棚板２２と、この棚板２２の下面に取り付けられた加温用の図示しない電気ヒータとから構成されている。
【００２２】
そして、陳列室１１内の背面パネル６の前面両側に取り付けられた棚支柱２３、２３に上下方向に複数形成された取付孔２４・・・に前記ブラケット２１の爪を係脱自在に係合させることにより、各棚装置４は陳列室１１内において上下位置（高さ）を変更可能に架設されている。尚、この場合、陳列する商品（缶やペットボトル等）の高さ寸法に合わせて効率的な棚配置ができるように、商品に対応した番号や色を棚支柱２３（棚支柱２３の所定の高さの位置）に付しておくと良い。
【００２３】
各図において、５は本発明の棚ダクト部材である。この棚ダクト部材５内には棚ダクト２６（図６乃至図８参照。）が構成されており、この棚ダクト２６の前端は棚ダクト部材５の前端において斜め前下方に開口する棚下冷気吐出口２７に連通され、後端は冷気導入口２８にて開口している。また、この棚ダクト部材５には冷気導入口２８の上側にて前後方向に移動自在に取り付けられたダンパー部材２９が設けられている。更に、棚ダクト部材５の両側には係合部３１、３１が設けられている。
【００２４】
また、棚ダクト部材５の後部上面には、閉塞板４５が取り付けられている。この閉塞板４５は、当該棚ダクト部材５の後端を中心に枢支部材４６、４６により回動自在に枢支されている。そのため、当該閉塞板４５は、常には自重により棚ダクト部材５上面に伏臥した状態となる。尚、この閉塞板４５には、背面パネル６又は後述する背面パネル部材３６への取付位置を調整可能とする上下に延在した長孔４５Ａ、４５Ａが形成されている。
【００２５】
更に、棚ダクト部材５の後部下面にも、上面と同様に閉塞板４７が取り付けられている。この閉塞板４７も当該棚ダクト部材５の後端を中心に枢支部材４８、４８により回動自在に枢支されている。但し、当該閉塞板４７は、常には自重により垂下した状態となる。この閉塞板４７には、背面パネル６又は背面パネル部材３６に固定するためのネジ孔４７Ａ、４７Ａが形成されている。
【００２６】
一方、各棚装置４・・・の左右のブラケット２１、２１には上記棚ダクト部材５の係合部３１、３１が係脱自在にそれぞれ係合する保持レール３２が前後にそれぞれ形成されている。そして、この保持レール３２、３２を左右の係合部３１、３１内に後端から差し込むかたちで係合部３１、３１を保持レール３２、３２に係合させ、棚ダクト部材５を前方からブラケット２１、２１間に着脱自在に取り付ける。
【００２７】
尚、棚装置４に棚ダクト部材５が取り付けられた状態で、棚ダクト部材５は棚装置４の棚板２２下側に位置し、前端の棚下冷気吐出口２７は陳列室１１の前面開口部において下方に開口することになる。また、棚ダクト部材５の後部は、棚装置４の棚板２２の後端よりも所定寸法だけ奥側に延出している。
【００２８】
尚、背面パネル６の上部には図３に示すように複数の横長の連通部４１が形成されている。当該連通部４１は、前記棚ダクト部材５に取り付けられた閉塞板４５、４７及び複数の背面パネル部材３６により、以下に詳述する如く閉塞される。
【００２９】
即ち、例えば棚ダクト部材５を上から２段目の棚装置４に取り付けるとすると、先ず、当該棚装置４の後方に形成された連通部４１を閉塞する背面パネル部材３６を取り外し、該連通部４１を開放する。その後、棚装置４のブラケット２１、２１間に棚ダクト部材５を前方から挿入し、取り付ける。このとき、棚ダクト部材５の冷気導入口２８を連通部４１に対応させる。そして、棚板２２の後方に位置し、該棚ダクト部材５の上面に回動自在に枢支された閉塞板４５を上方に回動させ、閉塞板４５と当該棚装置４の上方に位置する背面パネル部材３６とを相互に一部重複させ、背面パネル部材３６に形成される図示しないネジ孔と閉塞板４５に形成される長孔４５Ａとを重合させ、化粧ビス４０にて固定する。
【００３０】
他方、棚ダクト部材５の下面に回動自在に枢支された閉塞板４７を、当該棚装置４の下方に位置する背面パネル部材３６と相互に一部重複させ、背面パネル部材３６に形成されるネジ孔３６Ａと閉塞板４７に形成されるネジ孔４７Ａとを重合させ、化粧ビス４０にて固定する。尚、背面パネル部材３６の上部に形成されるネジ孔３６Ａは、所定の上下寸法を有する長孔とされているものとする。陳列室１１内全体を冷蔵使用とする場合には、ダンパー部材２９を図８の如く最も前方に移動させる。
【００３１】
このように、閉塞板４５に形成される長孔４５Ａ及び背面パネル部材３６の上部に形成されるネジ孔３６Ａは、上下に延在して形成されている。そのため、棚装置４が取り付けられる位置が上下に変更された場合であっても、当該上下位置の変更に対応して閉塞板４５と背面パネル部材３６との重複量、及び閉塞板４７と背面パネル部材３６との重複量を変更することで、棚ダクト部材５の冷気導入口２８と連通部４１を連通させると共に、当該冷気導入口２８の上方及び下方に位置する連通部４１を閉塞板４５及び４７にて閉塞することが可能となる。
【００３２】
この場合、冷気導入口２８の上方及び下方に位置する連通部４１は、棚ダクト部材５後部に取り付けられた閉塞板４５及び４７にて閉塞することが可能となるため、例えば、それぞれの連通部４１を閉塞する背面パネル部材３６を全て高さ調整することで、冷気導入口２８と連通する連通部の高さ位置を調整する場合に比して簡単に作業することができるようになる。
【００３３】
そして、棚ダクト部材５の後端の冷気導入口２８のみを連通部４１と連通可能とすることで、棚ダクト２６は背面ダクト９に連通することになる。ダンパー部材２９は図７の如く最も後方に移動された状態で背面ダクト９に突出し、連通部４１の上側において背面ダクト９を塞ぐ。また、図８の如く最も前方に移動された状態では背面ダクト９より前方に移動する。そして、このダンパー部材２９の背面ダクト９への突出寸法は調整可能とされている。
【００３４】
この状態で、送風機１９が運転されると、冷却器１５を熱交換した冷気は背面ダクト９内を上昇し、上部冷気吐出口１６から吐出される。吐出された冷気は陳列室１１の前面開口部に冷気エアーカーテンを構成しながら陳列室１１内を冷却する。そして、冷気吸込口１７から下部ダクト１４に吸引され、再び送風機１９に吸い込まれる循環を繰り返す。これによって、陳列室１１内の全域が冷蔵温度に冷却されることになる。
【００３５】
次に、上から２段目の棚装置４から上を温蔵領域として温蔵使用とし、下を冷蔵領域として冷蔵使用とする場合には、ダンパー部材２９を最も後方に移動させ、最上段及び２段目の棚装置４、４の電気ヒータを発熱させる。ダンパー部材２９は連通部４１より上に向かう冷気を遮断するので、上部冷気吐出口１６からの冷気吐出は無くなり、代わりに電気ヒータにて加熱されるようになるので、上から２段目の棚装置４から上の陳列室１１内は温蔵領域となる。
【００３６】
他方、ダンパー部材２９に衝突した冷気は前方に曲がり、連通部４１から棚ダクト２６内に入る。そして、棚ダクト部材５前端の棚下冷気吐出口２７から下方に向けて吐出されるようになる。棚下冷気吐出口２７から吐出された冷気は２段目の棚装置４より下方の陳列室１１の前面開口部に同様の冷気エアーカーテンを構成しながら２段目の棚装置４より下方の陳列室１１内を循環して冷却した後、冷気吸込口１７から吸い込まれる。これにより、２段目の棚装置４より下方の陳列室１１内が冷蔵領域となる。
【００３７】
ここで、例えば最上段の棚装置４から上の陳列室１１内を温蔵領域とし、その下方を冷蔵領域とする場合には、先ず、当該棚装置４の後方に形成された連通部４１を閉塞する背面パネル部材３６を取り外し、該連通部４１を開放する。その後、棚ダクト部材５に取り付けられる閉塞板４５及び４７と各背面パネル部材３６とを固定する化粧ビス４０を外し、棚ダクト部材５を前方に引き出す。その後、当該棚ダクト部材５を取り外すことで背面パネル６に開口された連通部４１は、背面パネル部材３６にて閉塞する。
【００３８】
そして、上から二段目の棚装置４から取り外した棚ダクト部材５を最上段の棚装置４のブラケット２１、２１間に前方から挿入し、取り付ける。このとき、棚ダクト部材５の冷気導入口２８を連通部４１に対応させる。そして、棚装置４の棚板２２の後方に位置し、該棚ダクト部材５の上面に回動自在に枢支された閉塞板４５を上方に回動させ、閉塞板４５と当該棚装置４の上方に位置する背面パネル６とを相互に一部重複させ、背面パネル６に形成される図示しないネジ孔と閉塞板４５に形成される長孔４５Ａとを重合させ、化粧ビス４０にて固定する。
【００３９】
他方、棚ダクト部材５の下面に回動自在に枢支された閉塞板４７を、当該棚装置４の下方に位置する背面パネル部材３６と相互に一部重複させ、背面パネル部材３６に形成されるネジ孔３６Ａと閉塞板４７に形成されるネジ孔４７Ａとを重合させ、化粧ビス４０にて固定する。尚、上述したように棚ダクト部材５を移動させる際において、棚ダクト部材５の後端に各閉塞板４５、４７が設けられていることから、当該棚ダクト部材５の移動と共に、閉塞板４５、４７を移動することとなるため、連通部４１の閉塞作業を簡素化することができるようになる。また、棚板２２の後端と、背面パネル６との隙間において、各閉塞板４５、４７は、棚ダクト部材５の後端を中心に枢支部材４６又は４８により回動自在に枢支されているため、棚ダクト部材５側に折り畳んだ状態とすることができる。そのため、作業性の向上を図ることができるようになる。
【００４０】
そして、棚ダクト部材５の冷気導入口２８を連通部４１に対応させた状態で、ダンパー部材２９を最も後方に移動させる。そして、最上段の棚装置４の電気ヒータを発熱させる。これによって、最上段の棚装置４から上には冷気は供給され無くなり、そこが温蔵領域となる。そして、最上段の棚装置４より下方の陳列室１１内は冷蔵領域となる。
【００４１】
ここで、棚装置４自体も上下位置を変更可能であるので、温蔵領域と冷蔵領域の大きさや高さ調整は棚装置４の移動によって微調整すると良い。
【００４２】
このように、棚ダクト部材５が取り付けられる棚装置４を変更することにより、棚前端からの冷気吹き出し高さを変更することができるので、陳列室１１内を下方の冷蔵領域と上方の温蔵領域とに分ける場合に、商品の数量や寸法に応じて各領域の大きさを容易に変更してショーケース１の利便性と汎用性を向上させることができるようになる。特に、この場合、各棚装置４に棚ダクトを構成して置く必要が無くなるので、棚装置４の構造を簡素化し、生産コストの削減を図ることができるようになる。
【００４３】
また、棚装置４は、棚支柱２３に対して上下位置変更可能に架設されているので、棚前端からの冷気吹き出し高さ変更の自由度がより一層向上する。更に、棚ダクト部材５に取り付けられる閉塞板は、上述したように棚ダクト部材５の上面から上方に延在する閉塞板４５と下面から下方に延在する閉塞板４７を備えていることから、棚ダクト部材５が取り付けられる棚装置４の位置に合わせて、棚ダクト部材５の冷気導入口２８に対応する位置に連通部を形成することが可能なり、棚ダクト部材５の取付位置変更或いは棚装置４の高さ位置変更に際して、棚ダクト部材５内への冷気の引き込みを支障無く行えるようになる。また、棚ダクト部材５に設けられる閉塞板４５、４７は、上方及び下方に延在して設けられていることから、広範囲に閉塞位置を調整することが可能となる。
【００４４】
特に、棚ダクト部材５に対応する以外の連通部４１は、別途背面パネル部材３６・・により閉塞されていると共に、当該背面パネル部材３６と棚ダクト部材５に設けられる閉塞板４５、４７とは、相互の重複量を変更することで連通部４１の上下位置が変更可能とされている。そのため、棚ダクト部材５の高さに応じて背面パネル部材３６と閉塞板４５、４７ちの重複量を変更することにより、容易に連通部４１の上下位置を変更することができる。
【００４５】
また、上記実施例以外にも、棚ダクト部材５に設けられる閉塞板を図９又は図１０のように構成しても良いものとする。
【００４６】
即ち、図９に示す実施例では、棚ダクト部材５の後部上面には、閉塞板５０が取り付けられている。この閉塞板５０は、当該棚ダクト部材５の後端を中心に枢支部材５１、５１により回動自在に枢支されている。そのため、当該閉塞板４５は、常には自重により棚ダクト部材５上面に伏臥した状態となる。更に、当該閉塞板５０の上部には、閉塞板５２が取り付けられる。閉塞板５２には、上下に延在する長孔５２Ａ、５２Ａが形成されており、閉塞板５０と閉塞板５２とを連結する化粧ビス４０にて固定される。そのため、当該閉塞板５０と閉塞板５２との重複量を調整することで、閉塞板５０及び５２による連結部４１の閉塞量を変更可能とされる。尚、図９における実施例では、棚ダクト部材５の後部下面に取り付けられる閉塞板は上記実施例における閉塞板４７と同様に構成されているものとする。但し、当該閉塞板についても、係る実施例の如く二枚（複数）の閉塞板により構成されており、これらの重複量を調整することで、閉塞量を変更可能ものとしても良いものとする。
【００４７】
図１０に示す実施例では、棚ダクト部材５の後部上面には、上下に連結される二枚の閉塞板５５Ａ、５５Ｂが取り付けられている。これらの閉塞板５５Ａ、５５Ｂは、連結箇所において枢支部材５６、５６により前方に回動自在に枢支されている。そして、下側に位置する閉塞板５５Ｂは、当該棚ダクト部材５の後端を中心に枢支部材５７、５７により回動自在に枢支されている。そのため、当該閉塞板５５Ｂは、常には自重により棚ダクト部材５上面に伏臥した状態となる。このとき、閉塞板５５Ａは、閉塞板５５Ｂに対し、枢支部材５６により連結されていることから、図１１の斜視図に示す如く閉塞板５５Ａを閉塞板５５Ｂの下側に折り畳むことが可能となる。
【００４８】
また、各閉塞板５５Ａ、５５Ｂの上部には、化粧ビスにて前記背面パネル部材３６と連結するためのネジ孔５５Ｃが形成されていると共に、上側の閉塞板５５Ａを折り畳んだ状態で起立した際に、下側の閉塞板５５Ｂのネジ孔５５Ｃと重複する位置の閉塞板５５Ａには、同様にネジ孔５５Ｃが形成されているものとする。
【００４９】
これにより、棚ダクト部材５に設けられる閉塞板は、折り畳んだ状態と、伸ばした状態の二種類の高さに変更することが可能となる。尚、図１０における実施例では、棚ダクト部材５の後部下面に取り付けられる閉塞板は上記実施例における閉塞板４７と同様に構成されているものとする。但し、当該閉塞板についても、係る実施例の如く構成しても良いものとする。
【００５０】
このように、閉塞板を棚ダクト部材５後部より延在する寸法を変更可能な構成とすることにより、容易に閉塞板による連通部４１の閉塞位置を調整することができるようになる。また、棚板２２の後端と背面パネル６との限られた隙間において、複数の閉塞板を折り畳んだ状態で収容し、これらの閉塞板を広げることで、閉塞する連通部４１の大きさを調整することが可能となり、広範囲に調整することが可能となる。特に、図１０における実施例では、使用する閉塞板の枚数を調整することにより、閉塞範囲を調整することができるため、容易となる。
【００５１】
尚、実施例では棚ダクト部材５が取り付けられた棚装置４から上を電気ヒータで温蔵領域としたが、電気ヒータに通電すること無く、或いは、電気ヒータを設けずに非冷領域として使用してもよい。
【図面の簡単な説明】
【００５２】
【図１】本発明を適用したショーケースの側面図である。
【図２】図１のショーケースの正面図である。
【図３】棚装置を取り外した状態の図１のショーケースの正面図である。
【図４】棚ダクト部材を引き出した状態の図１のショーケースの斜視図である。
【図５】図１のショーケースの棚ダクト部材の斜視図である。
【図６】図５の棚ダクト部材の拡大縦断正面図である。
【図７】図５の棚ダクト部材の側面図である。
【図８】図５の棚ダクト部材のもう一つの側面図である。
【図９】他の実施例としての棚ダクト部材の斜視図である。
【図１０】もう一つの他の実施例としての棚ダクト部材の斜視図である。
【図１１】図１０の棚ダクト部材の側面図である。
【符号の説明】
【００５３】
１  ショーケース
３  断熱壁
４  棚装置
５  棚ダクト部材
６  背面パネル
９  背面ダクト
１１  陳列室
１６  上部冷気吐出口
２１  ブラケット
２２  棚板
２６  棚ダクト
２７  棚下冷気吐出口
２８  冷気導入口
３６  背面パネル部材
４１  連通部
４５、４７、５０、５２、５５Ａ、５５Ｂ  閉塞板
４５Ａ  長孔
４６、４８、５１、５６、５７  枢支部材
４７Ａ、５５Ｃ、５５Ｄ  ネジ孔
【図１】
2006194513.tif 000003
【図２】
2006194513.tif 000004
【図３】
2006194513.tif 000005
【図４】
2006194513.tif 000006
【図５】
2006194513.tif 000007
【図６】
2006194513.tif 000008
【図７】
2006194513.tif 000009
【図８】
2006194513.tif 000010
【図９】
2006194513.tif 000011
【図１０】
2006194513.tif 000012
【図１１】
2006194513.tif 000013